(57)【特許請求の範囲】
【請求項１】
走行装置の前方に設けた刈取部と、前記走行装置の上方位置に設けた脱穀装置３と、該脱穀装置３の側部に設けたグレンタンク４と、該グレンタンク４内の穀粒を揚殻する揚穀装置６と、該揚穀装置６の上部に基部を取付けた排出オーガ８を有するコンバインにおいて、前記排出オーガ８は、その先端が、手動操作により縦軸旋回自在かつ上下動自在に前記揚穀装置６に取付け、前記排出オーガ８と前記揚穀装置６との間には排出オーガ８の先端が上方回動するように付勢するガススプリング９を設け、該ガススプリング９は、最大に伸長すると、前記排出オーガ８が上動して旋回可能な高さ位置になるように構成し、前記揚穀装置６の下部に設けた支えメタル１８は機体固定部に設けた下部メタル７に摺接自在に取付け、該下部メタル７にはブレーキ板２０を、前記支えメタル１８には突起部１９を夫々設け、前記ブレーキ板２０と突起部１９とは、前記排出オーガ８が所定位置まで互いに接触せず、前記排出オーガ８が所定位置まで旋回すると、互いに摺接して前記排出オーガ８の旋回に抵抗を与えるように配置し、前記排出オーガ８には旋回操作用の旋回操作用ハンドル２３を設け、該旋回操作用ハンドル２３は、該旋回操作用ハンドル２３の先端を、機体固定部に設けた挿入部材２４に挿入させて固定手段により両者を固定すると、前記排出オーガ８を格納時に載置固定する支持ホルダ１２となるように構成したコンバインの穀物排出装置。
【発明の詳細な説明】
【０００１】
【産業上の利用分野】
本発明は、コンバインの穀物排出装置に係るものである。
【０００２】
【従来技術】
従来公知の、特開平１−１４０４２１号公報には、走行装置の前方に設けた刈取部と、前記走行装置の上方位置に設けた脱穀装置と、該脱穀装置の側部に設けたグレンタンクと、該グレンタンク内の穀粒を揚殻する揚穀装置と、該揚穀装置の上部に基部を取付けた排出オーガを有するコンバインついて記載されている。
【０００３】
【発明が解決しようとする課題】
前記公知例の排出オーガは、油圧シリンダー等により、先端が縦軸旋回自在、かつ、上下動自在に揚穀装置に取付けられているが、シリンダー等を使用しているため、コストが高いという課題がある。
【０００４】
【発明の目的】
低コスト化、操作性の向上。
【０００５】
【課題を解決するための手段】
本発明は、走行装置の前方に設けた刈取部と、前記走行装置の上方位置に設けた脱穀装置３と、該脱穀装置３の側部に設けたグレンタンク４と、該グレンタンク４内の穀粒を揚殻する揚穀装置６と、該揚穀装置６の上部に基部を取付けた排出オーガ８を有するコンバインにおいて、前記排出オーガ８は、その先端が、手動操作により縦軸旋回自在かつ上下動自在に前記揚穀装置６に取付け、前記排出オーガ８と前記揚穀装置６との間には排出オーガ８の先端が上方回動するように付勢するガススプリング９を設け、該ガススプリング９は、最大に伸長すると、前記排出オーガ８が上動して旋回可能な高さ位置になるように構成し、前記揚穀装置６の下部に設けた支えメタル１８は機体固定部に設けた下部メタル７に摺接自在に取付け、該下部メタル７にはブレーキ板２０を、前記支えメタル１８には突起部１９を夫々設け、前記ブレーキ板２０と突起部１９とは、前記排出オーガ８が所定位置まで互いに接触せず、前記排出オーガ８が所定位置まで旋回すると、互いに摺接して前記排出オーガ８の旋回に抵抗を与えるように配置し、前記排出オーガ８には旋回操作用の旋回操作用ハンドル２３を設け、該旋回操作用ハンドル２３は、該旋回操作用ハンドル２３の先端を、機体固定部に設けた挿入部材２４に挿入させて固定手段により両者を固定すると、前記排出オーガ８を格納時に載置固定する支持ホルダ１２となるように構成したコンバインの穀物排出装置としたものである。
【０００６】
【実施例】
本発明の実施例を図面により説明すると、１は機体フレ−ム、２は機体フレ−ム１の下部位置に設けた走行装置、３は機体フレ−ム１の上方位置に設けた脱穀装置であり、図示は省略するが、脱穀装置３の前方位置には刈取部を設けている。
前記脱穀装置３の側部には、該脱穀装置３の一番コンベアにより取出された穀物を一時貯留するグレンタンク４を設ける。グレンタンク４内には該タンクグレンタンク４内の穀物を排出する排出装置５を設け、排出装置５には該グレンタンク４内の穀物を揚穀する揚穀装置６の下部を下部メタル７を介して取付ける。揚穀装置６内には、図示は省略するが螺旋翼等を設けて穀物を揚殻し得るように構成する。
【０００７】
揚穀装置６の上部には揚穀装置６により揚殻された穀物を圃場近傍に停車させたトラック等のタンクに排出する排出オーガ８の基部を取付ける。前記排出オーガ８は、排出オーガ８の先端が、前記揚穀装置６の軸心を中心に縦軸回転自在であって、かつ、先端が上下するように構成し、排出オーガ８と前記揚穀装置６との間には、排出オーガ８の上下回動を支持するガススプリング９を設ける。ガススプリング９は上端を排出オーガ８の揚穀装置６側の側面部に設けた取付部材１０に取付け、下端は前記揚穀装置６の排出オーガ８側の側面部に軸着する。したがって、ガススプリング９の取付けスペースを小にすることができ、排出オーガ８を旋回させるとき、他の分との干渉する範囲を狭くでき、タンクグレンタンク４や脱穀装置３の一部を切り欠かないですみ、容積を最大にし、空間効率を向上させる。また、ガススプリング９と揚穀装置６の側部の軸着部は、脱穀装置３の後部に設けた排藁処理装置の排藁処理装置カバー１１よりも上方位置させる。
【０００８】
しかして、排出オーガ８は脱穀装置３側に設けた支持ホルダ１２に載置固定して格納し、作業のとき、支持ホルダ１２より外すと、排出オーガ８は上動し、一般的な身長の作業者の頭上に位置するように、ガススプリング９は前記排出オーガ８が旋回高さ位置になったときに最大に伸長するように構成する。
前記排出オーガ８は、筒部材１３内に螺旋翼１４を設け、筒部材１３の先端は先に至るに従い小径になるように絞って堰部１５を形成し、穀粒漏れを防止する。したがって、螺旋翼１４を停止させて移動するようなときでも、筒部材１３内に残っている穀粒が溢れることがなく、ロスをなくせる。
【０００９】
筒部材１３の先端には下向き開口の開口部１６を有する案内部材１７を取付け、案内部材１７に前記螺旋翼１４の先端軸部を軸着する。
しかして、前記排出オーガ８の旋回は、前記揚穀装置６を下部メタル７に対して回転させて行っているが、揚穀装置６の下部には下部メタル７上面に摺接する支えメタル１８を設け、支えメタル１８の所定位置には上方に突出する突起部１９を設ける。前記下部メタル７には前記突起部１９の上方に臨むようにブレーキ板２０を設ける。前記突起部１９と前記ブレーキ板２０とは、前記排出オーガ８が穀物排出範囲まで旋回すると、互いに摺接して、排出オーガ８の旋回に抵抗を与えるように配置構成する。したがって、簡単な構成で適性位置までは突起部１９とブレーキ板２０とが摺接せずに軽く旋回させることができ、適性位置にてブレーキをかけて旋回を停止させることができる。
【００１０】
図１０、１１は前記排出オーガ８を格納支持する前記支持ホルダ１２の実施例であり、排出オーガ８の長さ方向の中間位置を、脱穀装置３の一番コンベアにより取出された穀物を揚殻する揚殻装置２１の上方に位置するように配置し、揚殻装置２１の上方に支持ホルダ１２を設ける。したがって、従来は、排出オーガ８の先端を支持していたので、支持ホルダ１２の支持する荷重は大であり、一方脱穀装置３の上面は薄板で形成していたので、脱穀装置３の上面全体を補強する必要があり、コストと重量が大となっていたが、揚殻装置２１を補強するだけですむ。
【００１１】
図１２では、前記排出オーガ８を二つの筒部材１３により構成し、各筒部材１３を接続した継ぎ目部分２２が支持ホルダ１２に載置するように配置構成する。したがって、継ぎ目部分２２を支持ホルダ１２で支持するので排出オーガ８の支持も確実になり、排出オーガ８の強度も向上し、また、継ぎ目部分２２が見えないので外観において見栄えが良くなる。なお、排出オーガ８の長さ方向の中間位置と継ぎ目部分２２を一致させると、一層効果的である。
【００１２】
図１３、１４では、前記排出オーガ８に旋回操作用の旋回操作用ハンドル２３を設けているが、旋回操作用ハンドル２３の下端を挿入しうる挿入部材２４を機体側に設け、挿入部材２４に旋回操作用ハンドル２３の先端を挿入させ、ピン２５等の手段により両者を固定し、旋回操作用ハンドル２３と挿入部材２４により支持ホルダ１２を構成する。
【００１３】
図１５、１６では、前記グレンタンク４は、上部タンク２６と下部タンク２７とに分割形成し、前記上部タンク２６は前記下部タンク２７に対して側方に回動自在に取付ける。上部タンク２６には、回動操作用の回動操作用取手２８を設け、回動操作用取手２８は上部タンク２６を前記下部タンク２７に対して側方に回動させたとき、圃場に当接して上部タンク２６を支持するように構成する。したがって、従来のような回動させた上部タンク２６を支持する支持装置は不要であり、また、上部タンク２６を最大限にオープンさせることができる。
【００１４】
次に実施例の作用を述べる。
支持ホルダ１２に排出オーガ８の途中部分を載置固定し、この状態で、刈取脱穀作業を行ない、グレンタンク４内に一定量の穀物が脱穀されると、機体を圃場近傍に待機中の軽トラックまで移動させる。
次に、支持ホルダ１２から排出オーガ８を外し、旋回操作用ハンドル２３をもって旋回および上下させ、軽トラックのタンク上方位置に位置させる。
【００１５】
この場合、排出オーガ８はガススプリング９により上方回動するように付勢されているから、手動操作は旋回だけであり、操作性を向上させる。
しかして、ガススプリング９は上方回動するように付勢するが、ガススプリング９は排出オーガ８所定高さ位置になったときに最大に伸長するように構成しているから、支持ホルダ１２から排出オーガ８を外すと、排出オーガ８を上動させることなく旋回状態にすることができ、操作性を向上させる。
【００１６】
また、所定高さ位置の排出オーガ８の先端を下降させるときは、排出オーガ８の重量がガススプリング９に作用するので、操作は容易である。
なお、排出オーガ８と揚穀装置６の間には、嵌合体とバネと複数の嵌合凹部よりなる所望角度に保持する保持装置を設けることもある。
【００１７】
【効果】
本発明は、走行装置の前方に設けた刈取部と、前記走行装置の上方位置に設けた脱穀装置３と、該脱穀装置３の側部に設けたグレンタンク４と、該グレンタンク４内の穀粒を揚殻する揚穀装置６と、該揚穀装置６の上部に基部を取付けた排出オーガ８を有するコンバインにおいて、前記排出オーガ８は、その先端が、手動操作により縦軸旋回自在かつ上下動自在に前記揚穀装置６に取付け、前記排出オーガ８と前記揚穀装置６との間には排出オーガ８の先端が上方回動するように付勢するガススプリング９を設け、該ガススプリング９は、最大に伸長すると、前記排出オーガ８が上動して旋回可能な高さ位置になるように構成し、前記揚穀装置６の下部に設けた支えメタル１８は機体固定部に設けた下部メタル７に摺接自在に取付け、該下部メタル７にはブレーキ板２０を、前記支えメタル１８には突起部１９を夫々設け、前記ブレーキ板２０と突起部１９とは、前記排出オーガ８が所定位置まで互いに接触せず、前記排出オーガ８が所定位置まで旋回すると、互いに摺接して前記排出オーガ８の旋回に抵抗を与えるように配置し、前記排出オーガ８には旋回操作用の旋回操作用ハンドル２３を設け、該旋回操作用ハンドル２３は、該旋回操作用ハンドル２３の先端を、機体固定部に設けた挿入部材２４に挿入させて固定手段により両者を固定すると、前記排出オーガ８を格納時に載置固定する支持ホルダ１２となるように構成したコンバインの穀物排出装置としたものであり、排出オーガ８はガススプリング９により上方回動するように付勢されているから、上方回動の手動操作には操作力は少なく操作性を向上させ、ガススプリング９は前記排出オーガ８が旋回高さ位置になったときに最大に伸長するように構成しているので、排出オーガ８を簡単に旋回させることができ、操作性を向上させるという効果を奏し、また、突起部１９とブレーキ板２０とは互いに摺接して排出オーガ８の旋回に抵抗を与えるので、穀物排出範囲までの適性位置までは突起部１９とブレーキ板２０とが摺接せずに軽く旋回させ、しかも、適性位置にてブレーキをかけて旋回を停止させることができるので、操作性を向上させることができ、また、挿入部材２４に旋回操作用ハンドル２３の先端を挿入させて両者を固定するだけで、旋回操作用ハンドル２３と挿入部材２４により支持ホルダ１２を構成でき、特別に、支持ホルダ１２を設けなくてよく、部品点数を減少させることができる。
【図面の簡単な説明】
【図１】    コンバインの側面図。
【図２】    コンバインの側面図。
【図３】    ガススプリング取付状態平面図。
【図４】    排出オーガの先端部の断面図。
【図５】    支えメタルの平面図。
【図６】    同側面図。
【図７】    突起部とブレーキ板の摺接状態図。
【図８】    同非摺接状態図。
【図９】    突起部とブレーキ板が作用する範囲を示す平面図。
【図１０】  支持ホルダの第２実施例の平面図。
【図１１】  同側面図。
【図１２】  支持ホルダの第３実施例の側面図。
【図１３】  支持ホルダの第４実施例の側面図。
【図１４】  同斜視図。
【図１５】  グレンタンクの側面図。
【図１６】  同背面図。
【符号の説明】
１…機体フレ−ム、２…走行装置、３…脱穀装置、４…グレンタンク、５…排出装置、６…揚穀装置、７…下部メタル、８…排出オーガ、９…ガススプリング、１０…取付部材、１１…排藁処理装置カバー、１２…支持ホルダ、１３…筒部材、１４…螺旋翼、１５…堰部、１６…開口部、１７…案内部材、１８…支えメタル、１９…突起部、２０…ブレーキ板、２１…揚殻装置、２２…継ぎ目部分、２３…旋回操作用ハンドル、２４…挿入部材、２５…ピン、２６…上部タンク、２７…下部タンク、２８…回動操作用取手。
【図１】
0003669006.tif 000002
【図２】
0003669006.tif 000003
【図３】
0003669006.tif 000004
【図４】
0003669006.tif 000005
【図５】
0003669006.tif 000006
【図６】
0003669006.tif 000007
【図７】
0003669006.tif 000008
【図８】
0003669006.tif 000009
【図９】
0003669006.tif 000010
【図１０】
0003669006.tif 000011
【図１１】
0003669006.tif 000012
【図１２】
0003669006.tif 000013
【図１３】
0003669006.tif 000014
【図１４】
0003669006.tif 000015
【図１５】
0003669006.tif 000016
【図１６】
0003669006.tif 000017